(57)【特許請求の範囲】
【請求項１】
リボン型マイクロフォンアセンブリであって、
少なくとも２つの磁石を前記磁石間に懸架されたリボンの近くに位置決めする囲み磁束フレームを有する変換器であって、前記囲み磁束フレームは第１側部及び第２側部を有し、前記第１側部及び前記第２側部の少なくとも１つは前記変換器に磁束のための戻り経路を形成するべく前記囲み磁束フレームの連続部分を含む変換器と、
前記囲み磁束フレームに設けられた複数の受け入れアパチャのアレイと、
前記変換器における前記磁束のための追加戻り経路を生成するべく前記受け入れアパチャの１つに位置決めされた少なくとも１つの曲がった戻りリングと
を含むマイクロフォンアセンブリ。
【請求項２】
前記囲み磁束フレームは平行な側部を有する、請求項１に記載のマイクロフォンアセンブリ。
【請求項３】
前記囲み磁束フレームはテーパ形の側部を有する、請求項１に記載のマイクロフォンアセンブリ。
【請求項４】
前記囲み磁束フレームは複数の側部アパチャを有する、請求項１に記載のマイクロフォンアセンブリ。
【請求項５】
前記側部アパチャは非円形である、請求項４に記載のマイクロフォンアセンブリ。
【請求項６】
前記側部アパチャは細長くかつ曲線をなす、請求項４に記載のマイクロフォンアセンブリ。
【請求項７】
前記リボンは、所定リボンパターンを有するフォームに１つの層を堆積することによって形成される、請求項１に記載のマイクロフォンアセンブリ。
【請求項８】
マイクロフォンアセンブリであって、
囲み磁束フレームを有する変換器と、
磁束を生成するべく構成された少なくとも２つの磁石と、
前記磁石間のギャップに位置決めされた懸架リボンと
を含み、
前記囲み磁束フレームの第１側部及び第２側部の少なくとも１つが、前記囲み磁束フレームにおける前記磁束のための経路を形成し、
前記マイクロフォンアセンブリは前記磁束のための少なくとも１つの追加経路をさらに含み、
前記少なくとも１つの追加経路は前記磁石間の前記ギャップにおける前記磁束を増加させ、
前記少なくとも１つの追加経路は曲がった金属リングを含み、
前記囲み磁束フレームは前記曲がった金属リングを受け入れるアパチャをさらに含むマイクロフォンアセンブリ。
【請求項９】
前記少なくとも１つの追加経路は弓形である、請求項８に記載のマイクロフォンアセンブリ。
【請求項１０】
マイクロフォンアセンブリであって、
囲み磁束フレームを有する変換器と、
磁束を生成するべく構成された少なくとも２つの磁石と、
前記磁石間のギャップに位置決めされた懸架リボンと
を含み、
前記囲み磁束フレームの第１側部及び第２側部の少なくとも１つが、前記囲み磁束フレームにおける前記磁束のための経路を形成するべく連続部分を含み、
前記マイクロフォンアセンブリは前記磁束のための複数の追加経路をさらに含み、
前記追加経路は前記磁石間の前記ギャップにおける前記磁束を増加させ、
前記追加経路は、
複数の曲がったリングと、
前記複数の曲がったリングを受け入れる複数のアパチャと
を含む、マイクロフォンアセンブリ。
【請求項１１】
前記囲み磁束フレームは平行な側部を有する、請求項８に記載のマイクロフォンアセンブリ。
【請求項１２】
前記囲み磁束フレームはテーパ形の側部を有する、請求項８に記載のマイクロフォンアセンブリ。
【請求項１３】
前記囲み磁束フレームは側部アパチャを有する、請求項８に記載のマイクロフォンアセンブリ。
【請求項１４】
前記側部アパチャは細長くかつ曲線をなす、請求項１３に記載のマイクロフォンアセンブリ。
【請求項１５】
前記リボンは、所定リボンパターンを有するフォームに１つの層を堆積することによって形成される、請求項８に記載のマイクロフォンアセンブリ。
【請求項１６】
前記リボンは多層である、請求項８に記載のマイクロフォンアセンブリ。
【請求項１７】
前記少なくとも１つの追加経路は音波の経路を通って延び、前記音波は、実質的に妨害されることなく前記マイクロフォンアセンブリによって受け入れられる、請求項８に記載のマイクロフォンアセンブリ。
【請求項１８】
マイクロフォンアセンブリであって、
囲み磁束フレームを有する変換器と、
磁束を生成するべく構成された少なくとも２つの磁石と、
前記磁石間の懸架リボンと
を含み、
前記囲み磁束フレームの第１端及び第２端の少なくとも１つは、前記囲み磁束フレームにおける前記磁束のための１つの経路を形成する１つの連続部分を含み、
前記マイクロフォンアセンブリは前記磁石間のギャップにおける前記磁束を増加するべく、かつ、前記リボンと音波の経路との間のエリアに延びるべく構成された前記磁束のための複数の追加経路をさらに含み、
前記音波は実質的に妨害されることなく前記マイクロフォンアセンブリによって受け入れられ、
前記複数の追加経路は、
複数の曲がったリングと、
前記複数の曲がったリングを受け入れる複数のアパチャと
を含むマイクロフォンアセンブリ。
【請求項１９】
前記複数の追加経路は複数のリブを含む、請求項１８に記載のマイクロフォンアセンブリ。
【請求項２０】
前記複数のリブの各々は金属の弧を含む、請求項１９に記載のマイクロフォンアセンブリ。
【発明の詳細な説明】
【技術分野】
【０００１】
本発明は音響変換器に関し、特に、リボンと薄膜型の変換器と、薄膜技術で製造され多様な音声波長で動作する複合膜とに関し、２００４年１０月２１日に出願された米国仮出願番号６０／６２０，９３４及び対応する米国出願に基づいており、これらは全体としてここに組み入れられる。
【背景技術】
【０００２】
スタジオ環境における音声や楽器の録音用のマイクロフォンの設計者や製造者は、精密な音響再生を実現する方法の改良を求めてきた。低ノイズ、高低の出力歪み、高度な一貫性と長寿命を有する一般的な設計とともに、例えば肉声、グランドピアノ、又は木管楽器のような特定種類の音声の特性を引き立てるのが好ましい。
【０００３】
マイクロフォンは通常、変換器及び様々なコンデンサを用いる。変換器は、電気力学式の、又は単純には「ダイナミック」型かリボン型のいずれかで構成される。マイクロフォンで用いられる主要な３つの変換器の種類のうち、本発明ではリボン型に焦点をあてているが、通常のマイクロフォンに適用する所定の改良や原理もまた組み込まれている。例えば医用描写法に用いるための変換器も、本発明の原理を用いて製造し、使用し、改良利用することができる。
【０００４】
マイクロフォン技術は、よりよい材料と製造方法を用いて、また半導体や医療機器産業により発展した改良技術に適合した技術を用いて組み付け及び試験を行っていれば、より早く進歩したかもしれない。可動要素の精密な位置決め、当該要素のチューニングの閉ループフィードバック制御、部品毎の偏差を減らす統計プロセス制御技術により、デバイス特性、品質、一貫性が改善される。マイクロフォンの特性を精密に制御することにより、アーティスト及びスタジオ技術者が録音に最適なセッティングに到達しこれを維持することができる。これにより、必要なサウンドチェックやリテイクの回数が減り、時間及び制作コストが節約される。
【０００５】
サウンドステージ並びに他の映画及びテレビ制作セッティングで用いるのに適したマイクロフォンは、高感度、頑丈、及び高信頼性である必要があるが、ブームアーム上の位置決め又は揺れに対しては高感度であってはならない。かかる動きは、磁気ギャップ内に懸架された繊細なリボンへの風のダメージやノイズの原因となる。このリボン構造の強度や耐久性の改良により、このタイプのマイクロフォンの多様な応用や利用が可能となった。さらに、リボンの伝導率を向上させ、リボンの全質量及び強度を、過度に剛性とならず、すなわち出力効率が向上し、かつ、靱性が増すように低減することが望ましい。出力効率は高くする必要ある。これにより、マイクロフォンの信号対ノイズ比及び全体の感度を向上することになるからである。
【０００６】
録音用のマイクロフォンは精密である必要がある。直列に組み立てられたマイクロフォンの各々は、理想的には同じ性能であるべきである。このことは、現行のマイクロフォン製造にいつも当てはまるわけではない。当該アセンブリに所定のばらつきが存在し、このようなマイクロフォンのチューニングは、その音声を一貫して再現する能力に影響するからである。これらのばらつきが生じる不規則性を克服し、正確な要素毎の性能の一貫性を生む精密な組み付け方法及びチューニング方法が望まれている。
【０００７】
歌手の声若しくは楽器又は増幅スピーカからの空気の流れを含む外部の空気流及び風が、現行技術で用いられている繊細な内部リボンにダメージ又は歪みを与えるほど強い場合がある。通常の空気流及び音声を自由にマイクロフォン内で循環させることが望ましく、さらに、減衰することなく精密な音響再生ができるのと同時に、所定の強度レベルを超えるダメージ性のエアブラストを制限できることが望ましい。このような改良により、リボン型マイクロフォンの幅広い利用が可能となる。
【発明の概要】
【０００８】
本発明の１つの目的は、従来技術の不都合を解消することである。
【０００９】
本発明のさらなる目的は、機能特性が優れたリボン型マイクロフォン構造を提供することである。
【００１０】
本発明のさらなる目的は、一貫した性能特性を可能とするマイクロフォン製造構造を提供することである。
【００１１】
したがって本発明は、調整可能な受音能力を有するリボン型マイクロフォンアセンブリを含む。当該アセンブリは、少なくとも２つの磁石を前記磁石間に懸架されたリボンの近くに位置決めする囲み磁束フレームを有する変換器と、前記磁束フレームに設けられた受け入れアパチャのアレイと、前記変換器における磁束のための戻り経路を生じさせるべく前記受け入れアパチャ内に位置決めされた少なくとも１つの曲がった戻りリングとを含む。前記磁束フレームは平行な側部を有してもよい。前記磁束フレームはテーパ形の側部を有してもよい。前記磁束フレームは好適には側部アパチャを有する。前記側部アパチャは、非円形であってもよい。前記側部アパチャは、細長くかつ曲線をなしてもよい。
【００１２】
本発明はまた、リボン型マイクロフォン用のリボンの製造方法を含む。これは、不規則な所定リボン係合面を有する第１フォームを提供するステップと、前記リボン係合面にリボン形成材料を堆積するステップと、前記第１フォーム上に前記マイクロフォンのリボンを形成するステップとの１以上を含む。この方法は、前記第１フォームの不規則な所定リボン係合面にかみ合うように対応する不規則な所定リボン係合面を有する第２フォームを提供するステップと、前記第１及び第２フォームのリボン係合面の間に前記リボン形成材料を挟むステップとを備えてもよい。前記フォームは、その温度が制御されてもよい。前記リボンは、１より多い材料からなってもよい。前記フォームは、アルミニウム、蝋材料、及び溶ける材料からなる群から選択される蒸着支援可能材料を含んでもよい。本発明はまた、リボンを、リボン型マイクロフォンにおける前記リボンのその後の使用のためにチューニングする方法を含む。これは、マイクロフォンのリボンを調整可能に支持及び較正する較正部材を設けるステップであって、前記リボンには所定パターンが形成されているステップと、ラウドスピーカに接続された可変周波数発振器を動作させるステップであって、前記発振器は前記リボンの所望の共鳴周波数に設定されるステップと、前記較正部材を調整して前記リボンにテンションを与えるステップと、共鳴ピークを示す前記リボンの最大変位を観察するステップとの１以上を含む。このリボンは、リボン型マイクロフォンの変換器アセンブリの中に設置される。
【００１３】
本発明はまた、マイクロフォンの支持体からの音声伝搬を低減する方法を含む。これは、リボン型マイクロフォンの支持体として複数のリング状スペーサ部材を設けるステップと、隣接するスペーサ部材同士の間に音響減衰材料を挿入するステップと、前記複数のスペーサ部材の第１端部をリボン型マイクロフォンのハウジングに取り付けるステップと、前記スペーサ部材の第２端部をマイクロフォンのスタンドに取り付けるステップとの１以上を含む。前記スペーサ部材は好適には円環形である。
【００１４】
本発明はまた、リボン型マイクロフォンを安全に封入し、無加圧状態で輸送し、出し入れするケースを含む。このケースは、エンクロージャハウジングと、前記ケース上の開放可能なドアと、前記ドアに接続されたバネ付勢バルブであって前記ドアの開閉時に前記ケースを外部雰囲気に開放するバルブとを含む。リボンを中に封入するリボン型マイクロフォンのケーシングは、前記リボンを中に封入する前記ケーシングを貫通する複数の音声伝搬アパチャを含む。前記アパチャは、曲がった非円筒形の開口からなる。前記アパチャは好適には、前記ケーシング内に封入された前記リボンから離れるように曲がって構成される。
【００１５】
本発明はまた、モジュール式のリボン型マイクロフォンアセンブリを含む。これは、上部のリボン型変換器と、中間部の整合変圧器セクションと、下部の増幅及び電子制御セクションとからなり、サブアセンブリの様々な組み合せが当該アセンブリにおいて容易に互換可能としている。各サブアセンブリは、当該サブアセンブリの相互接続を可能とする相互接続ピンを備えるバスバーを有する。
【００１６】
本発明はまた、エネルギー波を検出するリボン型変換器を含む。このリボン型変換器は、導電性のカーボンナノチューブフィラメントからなる細長いリボン構造を含み、このリボン構造は磁場に近接配置され、かつ、制御回路と電気的に連通される。前記カーボンナノチューブフィラメントのリボン構造は、リボン型マイクロフォンのリボン要素を含む。中に可動のカーボン繊維材料のリボン要素を有するリボン型マイクロフォンは、そのリボン要素が、カーボンフィラメントの細長い層と、前記カーボンフィラメントに取り付けられた導電金属の細長い層とを含む。
【００１７】
本発明はまた、音波を検出するリボン型変換器を備える。このリボン型変換器は、磁場に近接配置された導電性カーボンナノチューブフィラメントからなる細長いリボン構造であって、前記リボン構造はさらなる回路に接続されるリボン構造と、カーボンナノチューブ材料が一体化された可動リボン要素と、カーボン繊維材料が一体化された可動リボン要素を有するリボン型マイクロフォンとを含む。前記リボン要素は、カーボンフィラメントの層と、当該カーボンフィラメント材料の層に取り付けられた導電金属の層とを含む。
【００１８】
本発明はまた、磁石アセンブリに近接配置された複合膜音響変換器構造を含む。この変換器構造及び磁石アセンブリは、磁束場を生成するべく配置される。前記変換器構造は、テンションが維持された薄く細長い複合膜材料の第１層と、複合材料の前記第１層に取り付けられた膜材料の第２導電層とを含む。膜材料の前記第１及び第２層は、前記磁石アセンブリに対して近接配置され、かつ、ほぼ平行及びオフセットして配置される。これにより、複合材料の前記第１層及び第２層の少なくとも一部を通る磁束場が生成される。前記第１層はカーボン繊維からなってもよい。前記第１層はポリマー材料であってもよい。前記カーボン繊維は、カーボンナノチューブからなってもよい。前記第１層は好適には導電性である。前記第２導電層は好適には堆積された金属である。前記第２導電層は電気めっき層でもよい。前記第２導電層は電着層でもよい。
【００１９】
本発明はまた、膜型変換器要素の製造方法を含む。これは、所定パターンを有するフォームを作成するステップと、前記フォームの前記パターン上に金属層を堆積して連続かつ別個の金属変換要素を作成するステップと、前記堆積された金属変換要素を前記パターンから取り外すステップと、前記膜型変換要素を磁場の近くに設置するステップとの１以上を含む。前記所定パターンは周期的なパターンでもよい。前記所定パターンは非周期的なパターンでもよい。前記金属はアルミニウムでもよい。
【００２０】
本発明はまた、特定周波数用のリボン型音響要素の製造方法を含む。これは、音響要素をホルダーに軸方向に搭載するステップであって、前記ホルダーは前記音響要素を支持する可動搭載ポイントを有するステップと、前記搭載ポイントを動かして前記音響要素のテンションを変えるステップと、前記音響要素を所定周波数に共鳴させるステップとの１以上を含む。前記音響要素は金属要素であってもよい。前記音響要素は、好適には変換器アセンブリを含む。
【図面の簡単な説明】
【００２１】
本発明の目的と利点が、以下の図面を参照することにより一層明確となる。
【００２２】
【図１】電磁石から延びる鉄のポール同士の間に懸架された波形リボンを示す従来のリボン型マイクロフォン変換器である。
【図２】永久磁石から延びるテーパ形の鉄のポール片同士の間に懸架された波形リボンを示す従来のリボン型マイクロフォン変換器である。
【図３】本発明に係る懸架システムを有するマイクロフォンのケーシングの側面図である。
【図４】図３に示すマイクロフォンのケーシングの破断図である。
【図５】本発明のケーシングのアパチャ構造を示す拡大断面図である。
【図６】本発明の原理により構成されたモジュール式リボン型マイクロフォンアセンブリを側方から見た分解断面図である。
【図７】図６の分解図に示す変換器、変圧器、電子モジュールを組み付けたスタックを示す側面図である。
【図８】２以上の近接する磁石をその間に搭載された懸架リボンの近くに位置決めする囲み磁束フレームを特徴とするテーパ形変換器の側面図である。
【図９】戻りリングが設置された本発明の非テーパ形（側壁が平行な）変換器の斜視図である。
【図９Ａ】図９の９Ａ−９Ａ線に沿って取られた図である。
【図１０】テーパ形及び非テーパ形の実施例双方の特徴を示す本発明の磁束フレームの側面図である。
【図１１ａ】所定の「リボン形成」パターンを当該フォーム上に有する本発明のリボンフォームの断面図である。
【図１１ｂ】例えばアルミニウム等の堆積金属層を有する、図１１ａに示すリボンフォームの断面図である。
【図１１ｃ】図１１ａに示すフォームから当該金属リボンを取り去った後の完成リボンを示す側面図である。
【図１１ｄ】堆積プロセスにより作成された完成リボンの断面図であり、このリボンは所定パターンを有する。
【図１１ｅ】スケールと、可動スライドと、間にマイクロフォンのリボンを保持する複数のクリップとを有する目盛り付き固定具の側面図である。
【図１１ｆ】図１１ｅに示す目盛り付きリボン保持固定具とともに用いるチューニングシステムの概略図である。
【図１２ａ】マイクロフォンリボンの製造に有用な、一対のフィラメントホルダー間に懸架された一連のフィラメントを示す平面図である。
【図１２ｂ】図１２ａに示す一連のリボンフィラメントの側面図である。
【図１２ｃ】圧力、熱、又はその双方を適用するべく用いられる一対のフォーム間に離間して近接された一連のフィラメントの側面図である。
【図１２ｄ】図１２ｃに示すフォームの形状により型押しされた後の一連のフィラメントの側面図である。
【図１３ａ】一方の側部（この場合はリボンの後側）から離間して配置された音声吸収ウェッジを備えるリボンアセンブリの平面図である。
【図１３ｂ】図１３ａに示す音声吸収ウェッジの詳細な側面図である。
【図１４】バックローブサプレッションを有するマイクロフォンアセンブリの断面による側面図である。
【図１５ａ】本発明に係る一対の同じリボンが並列回路構成で構成された電気的概略図である。
【図１５ｂ】互いに近くにある一対の同じリボンにおいてそれぞれのリボンが隣接磁石のギャップ内にある平面図である。
【図１５ｃ】一対の隣接磁石の実用的なホルダーの斜視図である。
【図１６ａ】リボン型マイクロフォン等の感圧デバイスのための保管及びトラベルケースの斜視図である。
【図１６ｂ】図１６ａに示すトラベルケースに有用な空気逃がしバルブの断面図である。
【図１７】マイクロフォン本体に一体化された音声吸収構造の断面による側面図である。
【発明を実施するための形態】
【００２３】
図面、特に図１を詳細に参照すると、参照としてここに組み込まれるＯｌｓｏｎによる米国特許１，８８５，００１の典型的従来技術のリボン型マイクロフォン変換器２０がある。これは、電磁石２６から延びる鉄のポール２４同士の間に懸架された波形リボン２２を示す。電磁石２６は、ポール片２４を介して音声反応リボン２２の近くに伝えられる磁場を確立する。リボン２２が入射音波により振動すると、リボン２２に電流が生成され、これが増幅、記録、又は送信される。図２に示す典型的従来技術のリボン型マイクロフォン変換器３０は、ここに参照として組み込まれるＦｉｓｈｅｒへの米国特許３，４３５，１４３により完全に示されるように、永久磁石３６から延びるテーパ形の鉄のポール片３４同士の間に懸架された波形リボン３２を示す。このテーパ形のポール片３４によりリボンの前部と後部との間の経路長が低減するので、高周波応答が向上する。リボンは調整可能なフレーム３８に懸架され、ネジとナットの調整がリボン３２の位置を精密にチューニングするべく使用される。
【００２４】
しかしながら、このような従来のマイクロフォン技術の改良が図３に示される。ここで、図示のマイクロフォンケーシング４０は、ジグザグ構造のエラストマーコード又はケーブル４２からなる懸架システム４１と、テーパ形の本体シェル構造４４と、音声を伝搬するが異物、埃、及びその他の侵入を防ぐ複数のアパチャ４８を有する音声スクリーン４６とを有する。図４の破断図はマイクロフォンケーシング４６を示す。マイクロフォンケーシング４６は、複数の離間されたアパチャ４８が貫通しており、各アパチャ４８は軸方向に曲げられた、非円筒、非線形の形状である。図５は、アパチャ４８の拡大図であり、高速の風の状況下においてどのようにしてエアブラスト「Ｗ」がリボン「Ｒ」の近くから遠ざけられるかが示されている。このような流体の強い流れのリダイレクトはコアンダ効果に起因する。これは、曲面を通る層流の流体が当該面に沿うように流れの方向を変える効果である。図５に示すように非線形の輪郭で形成されるアパチャ４８は、通常の振動音波を比較的スムーズに通す一方で、潜在的に破壊的なエアブラストが、リボン「Ｒ」又は他の変換器のような繊細な音声ピックアップデバイスから遠ざけられる。
【００２５】
図６は、モジュール式のリボン型マイクロフォンアセンブリ５０の分解図である。リボン型マイクロフォンアセンブリ５０は、上部のリボン型変換器５２と、中間部の整合変圧器セクション５４と、下部の増幅器及び電子制御セクション５６とからなり、異なる多様なリボン型マイクロフォンシステムがユーザ設定できる。バスバー５７から延びる直接相互接続ピン５８が、各セクション５２，５４，５６を相互接続するべく用いられる。マイクロフォンのユーザは、利得、周波数応答、音色、歪み、及びその他の音的及び電子的属性を調整するべく音響チェーンの構成要素を交換したいと望むことが多い。整合したモジュールセットアップの使用が、従来技術のコンデンサマイクロフォンにおいて用いられているが、リボン型マイクロフォンには用いられていない。これは、本発明以前のリボン型マイクロフォン構造では、利得、周波数応答、音色、又は歪みについて一貫性がなかったからである。図７は、変換器５２、変圧器５４、電子モジュール５６を組み付けたスタックを示す。まっすぐなバスバー５７を用いてモータが変圧器ユニットに、変換器ユニットが増幅器／コネクタユニットに接続される。回り道の配線接続と対照的に、まっすぐな、好適には直列型の固定位置の相互接続は、外部磁場からのハムピックアップを制御する度合いを高める。配線接続は、可撓性配線の可変的特性ゆえに最も低いハムピックアップを目的として引き回されることが多い。剛性の相互接続部材５８を用いるとこの可変性が事実上回避されるのと同時に、低抵抗かつ低ノイズの接続が保証される。銀のバー又は銀がめっきされた銅が、低抵抗かつ低ノイズを与える。厚い導電体及び銀金属を用いることにより、導体内で生じる熱ノイズもまた最小となる。一般に、従来技術のリボン型マイクロフォンには、完成したマイクロフォンアセンブリにより生じる全体的な熱ノイズ及び他のノイズフロアーに寄与する３つのセクションが存在する。これらは、リボンセクション、相互接続セクション、及び変圧器セクションを含む。変圧器セクション及び相互接続セクションの双方に重い導体を用いることが望ましい。リボンは必要に迫られて軽い導体としなければならいが、当該部分の改良も可能である。
【００２６】
変換器６０のある好適な実施例を図８に示す。これは囲み磁束フレーム６１を特徴とするテーパ形変換器６０である。囲み磁束フレーム６１は、２以上の隣接磁石を、その間に搭載された細長く形成され好適には多層の懸架リボン６６の近くに位置決めする。このテーパ形磁束フレーム６１は、リボン６６の前部から後部までの音響的距離を短縮して当該短縮された領域における高周波数応答を向上させ、「平行な」側部の磁束フレームの特性である任意の高周波数カットオフ効果の突発を低減させる。この磁束フレーム６１には、磁束フレーム６１を通って延びる磁石６２の位置の近くにリング受け入れアパチャ６８が設けられる。このアパチャ６８は、磁束の戻り経路を生成するべく用いられる（例えば図９及び図９Ａに部材７２として示す）曲がった戻りリングを受け入れるよう配置される。これにより、リボン６６が配置されたギャップにおける磁場の強度が増し、音エネルギーから電気エネルギーへのさらに効率的な変換が得られる。この効率の向上により、高品質マイクロフォンの望ましい属性である全体的な出力及び感度が向上する。戻りリング７２は、任意の角度での入射音波に対して小さい断面を有する形状とされる。この形状により、反響音及び望ましくない内部共鳴が低減される。戻りリング７２の全体的に小さな断面が、音エネルギーの妨害や減衰を低減するが音エネルギーを妨害されないままリボン６６に到達させる一方、磁束の伝搬という義務が果たされる。
【００２７】
図９及び図９ａは、戻りリング７２の設置構造を有する非テーパ形でほぼ平行な壁の変換器７０を示す。戻りリング７２は、変換器の長さ、及び所望の磁気的補強／再循環の量に応じて、わずかに１つ又は複数でもよい。この戻りリング７２は、圧入を介して磁束フレーム７３の厚さ内に挿入されてこれに対する磁場の結合を向上させてよい。または、溶接により磁束フレーム７３に取り付けられてもよい。
【００２８】
磁束フレーム７６を有するさらなる変換器の実施例が図１０に示される。磁束フレーム７６は、テーパ形及び非テーパ形のスタイルの双方の特徴を有し、さらに側部アパチャ８０を有してリボンの前部から後部への距離を短くしている。この側部アパチャ８０は、リボン型マイクロフォンの高周波数応答を向上させることが知られている。大きく細長い曲線／円形の側部アパチャ８０の使用とテーパ形アセンブリの使用との共同により、磁場の強度を維持することができる。
【００２９】
図１１ａは、所定リボン形状面パターン９２を有するリボンフォーム９０の断面図である。このフォーム９０は、アルミニウム等の金属の蒸着や当該金属のめっきを支援する蝋材料又は溶ける材料から作られる。図１１ｂは、アルミニウム９４の堆積層を有するリボンフォーム９０の断面図である。このアルミニウムの厚さは一般に約１／４ミクロンから約４ミクロンである。１より多くの層（図示せず）をフォーム９０の表面９２に堆積させてもよい。これらの層は同じ材料でもよいし、異なる機械特性及び電気特性を有する異なる材料でもよい。例えば、金の第１層を堆積してから、これより厚いアルミニウムの第２層、その後に第３の金の層又はこれらを混合した組み合わせを堆積してもよい。金の層は、数百ナノメートルのオーダーで非常に薄くてもよい。アルミニウムの層は５００ｎｍから約３０００ｎｍであり、必要なサイズ、所望の伝導率、及び設計上許容される総質量に応じてこれ以上又はこれ以下でもよい。
【００３０】
一般に、高質量のリボンは磁石ギャップ内で振動するのに大きな量の音エネルギーを必要とするのに対し低質量のリボンは小さくて済む。したがって、質量を最小とすることが望ましい。しかしながら、例えばアルミニウム等の薄すぎる材料は断面積が減少すると抵抗が高くなる。抵抗と質量とのトレードオフが長い間、リボン型マイクロフォンの設計における制限要因であった。強度と質量とのトレードオフも同様である。ここに教示する複合材料、多層材料、高導電材料を用いると、設計許容度が大きくなり性能が向上する。
【００３１】
図１１ｃは、例として、フォーム９０から取り外した後の完成リボン１００の側面図を示す。当該予備形成金属リボン１００は強く、割れ又はストレスがなく、緩みやすいということもない。従来技術のリボンは、平坦なシートを曲げ及び／又は歪めることにより形成される。このため、引っ張り強度に妥協があり、リボンに経時的に緩みを生じさせる残留力が残る。図１１ｄは、所定パターンを有するフォーム上への堆積プロセスにより作成された完成リボン１０２の側面図である。このパターンは周期的、非周期的、又は段階的であってよく、リボン１０２の端部近くに短い波の部分又は起伏１０４が配置され、リボン１０２の中央近くにはより平坦な部分１０６が配置される。堆積プロセスの精密かつコンフォーマルな性質により、例えば文字（図示せず）のような細かいディーテール、又は長いリブ（図示せず）のような特徴が、リボン１０２所定の平坦又は表面の部分をマーク付け又は硬化するべく作成されてよい。
【００３２】
図１１ｅは、スケール１１２と、可動スライド１１４と、調整されるリボン１１８を保持するクリップ１１６とを有する目盛り付き固定具１１０の例を示す。図１１ｆは、図１１ｅの目盛り付き固定具１１０とともに用いるチューニングシステム１２０を示す概略図である。可変周波数発振器１２２が、ラウドスピーカ１２６を駆動し、かつ、当該発振器１２２と同期するストロボ光１２８をトリガする増幅器１２４に接続される。この発振器１２２はリボン１１８の所望共鳴周波数に設定される。図１１ｅに示すリボン１１８の共鳴ピークを指示するリボン１１８の最大変位が観察されるまでクリップ１１６が動かされる。ストロボ光１２８は、当該ピークの観察の補助となる。また、歪みを生じさせる位相外れモードを含む、その他の任意共鳴モードを観察する補助ともなる。リボン１１８は、図１１ｅに示す装置１１０と図１１ｆに示す装置１２０及びこれにともなう手順との組合せを用いて精密にテンションが与えられ、その後、正しくチューニングされて変換器アセンブリ内に設置される。リボン１１８はその後、必要に応じてチューニングプロセスの間に、変圧器等の負荷及びそれに続く増幅器に接続される。リボン１１８の当該細かくかつ精密な調整により、アセンブリのユニット毎の一貫性が向上し、非常に望ましくなる。
【００３３】
図１２ａは、１セットの繊維ホルダー１３２間に懸架された一連のフィラメント又は繊維１３０の平面図である。この繊維１３０は、伸縮しないＫｅｖｌａｒ（登録商標）等の高引っ張り強度のポリマー材料から作られてよい。この繊維１３０はまた、カーボンナノチューブ繊維、リボン、又は高引っ張り強度かつ低質量の複合材からなっていてもよい。例えば、かかるカーボンナノチューブリボンは、導電性又は超導電性であってもよい。図１２ｂは、図１２ａに示す一連のフィラメント１３０の側面図である。図１２ｃは、圧力、熱、又はその双方を適用する一対のパターンフォーム１３４に近接する一連のフィラメントの側面図である。図１２ｄは、フォーム１３４の形状で型押しされた後の一連のフィラメント１３０の側面図である。一連のフィラメント１３０はさらに、明確のため図示しない蒸着プロセスのような堆積プロセスを用いてコーティング、めっき、又はカバーされてもよい。蒸着される材料は、アルミニウム又は金のような他の導電性材料である。超導電特性を有する合金を含む複数の材料を用いることができる。このような合金は通常剛性であり、ワイヤに形成するのが難しいが、開示の方法により実用的な態様で適切に形成することができる。このような超導電体又は非常に高導電率の合金を用いる利点は、マイクロフォンの出力が受容しがたい程度まで落ちるポイントまで伝導率を下げることなく、強く低質量のリボンを作成できることである。超導電性の合金は、この応用例に単独で用いられるほど十分な引っ張り強度を有する。カーボンナノチューブ若しくはカーボン繊維又はリボンは、この応用例に用いるのに十分な伝導率、強度、及び低質量を有し、靱性、又は長期的な歪み、たるみ、若しくはダメージへの耐性が向上する利点がある。現在では、非常に強く、低質量、かつ高伝導率のリボンがかかる新たな技術を用いて構成されている（このような多層化は、例えば接合、接着、堆積、又は様々な相互作用若しくは接着プロセスによる）。
【００３４】
図１３ａには、一方の側（この場合はリボン１４３の後側）から離間した距離に配置された音声吸収ウェッジ１４２を備えるリボンアセンブリ１４０の平面図が示される。この音声吸収ウェッジ１４２は、マイクロフォンの後部から到達する音エネルギーを吸収かつ減衰するのに有効である。音声吸収材のないリボン型マイクロフォンは、二極性の、「図８」の受け入れパターンを示す。単極性又は単一指向性のリボン動作が求められるときもある。リボンの後部は封止されているので、音エネルギーは当該後部からリボンに到達しない。ウェッジ１４２は、リボンの動きにより生じる再放射音を吸収する。このウェッジ１４２の形状により、当該リボンまで戻る望ましくない鏡面反射が低減される。複数のウェッジを用いてもよい。このウェッジは、リボン１４３に面する１の開口を有するチャンバ１４５を画定するべく封入される。図１３ｂには、不均一構造を示す音声吸収ウェッジ１４２の詳細図が示される。この不均一構造は、フィラメント、連続気泡発泡体、独立気泡発泡体１４４からなる。それぞれが、指向性を有して形成された斬増密度、及び、空気の音響インピーダンスと同じ又はこれに近い音声に対する音響インピーダンスを有する。これらは、当該全面からの反射を生じることなく熱の形態の損失を増加させる。この構成により低周波数が、通常の泡のような均一材料で可能となる場合よりも高い率で吸収される。
【００３５】
図１４は、「バックローブ」サプレッションを備えるマイクロフォンアセンブリ１５０の一例の部分断面図である。ロール状又はコイル状のチューブ１５３を用いて音響迷路１５２が形成される。チューブ１５３は例えば、プラスチックチューブ、Ｔｙｇｏｎ（登録商標）、又は他のコイル型に形成可能な通常は管状材料である。この形成可能な管状材料は、マイクロフォン１５０のハウジング内に適合するように任意形状に構成することができる。後部チャンバ（図１３ａに部分的に示す）を音響迷路に接続してもよい。これは、変換器アセンブリ１５４に若しくはこの下に、又は変圧器のような内部構造物若しくは構成部材のまわりに配置されてよい。このチューブ１５３は、注入されたウレタン連続気泡発泡体のような損失性音声吸収材料が充填され、又はナイロン若しくはエアロゲルのような損失性の音声吸収繊維材料が充填される。チューブの長さは、機械加工されたポート又はチャンバを使用した音響迷路構造に対する従来技術の記載のように通常約７６．２センチメートル（３０インチ）である。従来技術の当該ポート又はチャンバは作ることが困難であり、可撓性チューブの位置決めオプションがない。チューブの一端は図１３ａのチャンバに取り付けられ、リボン１４３の後部からチューブ１５３の長さ全体にわたる空気の連続的シールが維持される。このような構造により、圧力変換器として動作する単一指向性のリボン型マイクロフォンシステムの便利で反復的な構成が得られる。
【００３６】
図１５ａは、本教示を用いて作成された一対の同じリボン１６０及び１６２が並列回路構成で構成された電気的概略図である。図１５ｂは、互いに近くにある当該一対の同じリボン１６０及び１６２においてそれぞれが隣接磁石１６４のギャップ内にある平面図である。図１５ｃは、図１５ｂに示す一対の隣接磁石１６４のための実用的なホルダー１６６の斜視図である。このホルダー１６６は、摺動アパチャ止め１６７又は他の調整可能なドア手段を用いて、リボン（１６０及び１６２）の間の空間に入る空気又は音波の量を制御する。２本の同じリボン（すなわち１６０及び１６２）を用いることにより、１のマイクロフォンの空間内におけるリボン要素を用いて可変パターンを作成することができる。ここで、堆積、同期チューニング、及びフィラメント又はカーボンナノチューブのリボン構成のような改良されたリボン及びマイクロフォンの構成方法を用いて作成した場合の当該リボン要素の同一性及び反復可能性に起因する過剰な歪みが存在しない。
【００３７】
図１６ａに、リボン型マイクロフォン１７２のような感圧デバイスのための保管及びトラベルケース１７０が示される。従来技術のボックスは通常、突然閉じたり開いたりする蓋を有している。当該ケースの開閉のような突然の無防備な動作は、内容物にダメージを与えうる望まない圧力を生じる場合がある。空気バルブ１７４がラッチ（又はヒンジ）に接続されることにより、開閉手順における空気圧力を逃がす経路が存在する。図１６ｂは、空気逃がしバルブ１７４の断面図である。バネ付勢プランジャ１７６がラッチに組み込まれ、開く前に放出開口１７７から空気を解放する。バルブ１７４の面積はケース１７０に対して大きく、望ましくない圧力は瞬間的にも形成されない。
【００３８】
マイクロフォン支持部１８０の一例が図１７に示される。マイクロフォン１８２の本体内に一体化された音声吸収構造の断面図である。複数の環状リング１８４が、充填された低ジュロメーター硬度のウレタンのような音響減衰材料１８６の間に好適に挿入される。この交互に連なる減衰材料により、マイクロフォンスタンド１８８からマイクロフォンヘッド内までのノイズの伝搬がほとんどないことが保証される。平坦な環状リング構造により、合理的に剛性かつコンパクトなマイクロフォン本体が安全に維持される一方で音声吸収の広い面積が保証される。クランプ１９０がマイクロフォン本体ベース１９１にしっかりと取り付けられてもよいが、クランプ１９０はヘッドから隔離されて、当該スタンドからマイクロフォン１８２までの音声伝搬を低減または排除する。
【図１】
0005417396.tif 000002
【図２】
0005417396.tif 000003
【図３】
0005417396.tif 000004
【図４】
0005417396.tif 000005
【図５】
0005417396.tif 000006
【図６】
0005417396.tif 000007
【図７】
0005417396.tif 000008
【図８】
0005417396.tif 000009
【図９】
0005417396.tif 000010
【図９Ａ】
0005417396.tif 000011
【図１０】
0005417396.tif 000012
【図１１ａ】
0005417396.tif 000013
【図１１ｂ】
0005417396.tif 000014
【図１１ｃ】
0005417396.tif 000015
【図１１ｄ】
0005417396.tif 000016
【図１１ｅ】
0005417396.tif 000017
【図１１ｆ】
0005417396.tif 000018
【図１２ａ】
0005417396.tif 000019
【図１２ｂ】
0005417396.tif 000020
【図１２ｃ】
0005417396.tif 000021
【図１２ｄ】
0005417396.tif 000022
【図１３ａ】
0005417396.tif 000023
【図１３ｂ】
0005417396.tif 000024
【図１４】
0005417396.tif 000025
【図１５ａ】
0005417396.tif 000026
【図１５ｂ】
0005417396.tif 000027
【図１５ｃ】
0005417396.tif 000028
【図１６ａ】
0005417396.tif 000029
【図１６ｂ】
0005417396.tif 000030
【図１７】
0005417396.tif 000031